(57)【要約】【課題】  立体形状のねずみ取りにおいて、小なるねずみから大なるねずみまで容易にねずみ取り内へ進入させることができて捕獲率の高い粘着式ねずみ取りを提供する。【解決手段】  粘着剤９を塗布した中央部台紙２および左右側部台紙５、６の左側部台紙５の左端から右側部台紙６の右端に渡り、所定の間隔をおいて第一の折り目７と第二の折り目８を形成し、これら第一の折り目７、第二の折り目８に沿って中央部台紙２の前区画２ａと後区画２ｃ、また左右側台紙５、６の前区画５ａ、６ａと後区画５ｃ、６ｃの台紙を、それぞれ台紙上面の略垂直方向に折り曲げて、中央部台紙２と左右側部台紙５、６を断面略Ｕ字状に形成できるように構成した。【選択図】  図１
2008022730.tif 000002
【特許請求の範囲】
【請求項１】
中央部台紙の左右両端辺に続き、折り目を介して側部台紙を連接し、かつ中央部台紙と左右の側部台紙の台紙上に粘着剤を塗布してなる粘着式ねずみ取りであって、前記中央部台紙、前記左右の側部台紙の左側部台紙における左端から右側部台紙における右端に渡り、所定の間隔をおいて第一の折り目と第二の折り目を形成して台紙を前後方向に前区画、中区画および後区画の３区画に分け、前区画と後区画の台紙を中区画の台紙上面に対して略垂直方向に折り曲げることにより、中央部台紙と左右の側部台紙を断面略Ｕ字状に形成できるように構成してなる粘着式ねずみ取り。
【請求項２】
前記粘着剤を、前記中央部台紙と前記左右の側部台紙の前区画、中区画、後区画に塗布してなる請求項１に記載の粘着式ねずみ取り。
【請求項３】
前記粘着剤を、断面形状において山と谷の連続する波型状に塗布してなる請求項１に記載の粘着式ねずみ取り。
【請求項４】
前記中央部台紙、前記左右の側部台紙の少なくともいずれか一つの台紙の前後辺部に、この前後辺部と平行をなす折り目を介して台紙上面側に折り畳まれて形成された折重ね枠片を備え、前後の折重ね枠片のうちのいずれか一方の折重ね枠片の長手方向の一部を折り目を介して垂直に立ち上げ可能に形成して遊枠片を構成し、同遊枠片の遊端寄りに、前後の区画を中区画に対して立ち上げた際に他方の折重ね枠片に係着する係着手段を設けてなる請求項１に記載の粘着式ねずみ取り。
【請求項５】
前記遊枠片の係着手段を切欠き部で構成し、同遊枠片を有する折重ね枠片が配設された区画の前後方向の幅に対し、中区画を挟んで反対側となる区画の前後方向の幅を小に構成してなる請求項４に記載の粘着式ねずみ取り。
【発明の詳細な説明】
【技術分野】
【０００１】
本発明は、台紙の上面に粘着剤を塗布してあって、この粘着剤によってねずみを捕らえる粘着式のねずみ取りに関する。
【背景技術】
【０００２】
ねずみ取りには、平坦な台紙上面にねずみを捕捉するための粘着剤が塗布された粘着式のものが従来からあり（例えば、特許文献１参照）、このようなねずみ取は、ねずみの出没口または通路にセットされて、その台紙上に進入してきたねずみの動きを、台紙上面に塗布された粘着剤の粘着力によって拘束し、かくしてねずみを捕らえる構成となっている。
【０００３】
また、ねずみの捕獲率を向上すべく提案されたものとして、上述の平面形状のねずみ取りから、粘着剤を塗布した台の上方に天井部を形成できるようにした立体形状のねずみ取りもある（例えば、特許文献２参照）。
【０００４】
そして、粘着剤を塗布した台紙の上方に天井部を形成できるようにした立体形状のねずみ取りには、ねずみ取りの販売時の梱包形状や製造時における材料費の節約に有利な断面が略三角形状を呈するように組み上がるものや、断面が略四角形状に組み上がるように構成したものがある。
【０００５】
【特許文献１】特開平０８−２４２７４４号公報
【特許文献２】特開２０００−３２５００９号公報
【発明の開示】
【発明が解決しようとする課題】
【０００６】
捕獲対象であるねずみには、台紙の上方に位置する天井部分を警戒して進入をためらう性質のあるものもおり、また、略三角形状の入り口を有するねずみ取りにおいては、ねずみの背などが略三角形状の入り口の先細になっている上方部分に接触するので、この接触をねずみが嫌って、ねずみ取り内へ進入しようとしていたねずみが警戒してその進入をやめ、捕獲率が低下することがあり、この捕獲率の低下は大きなサイズのねずみに顕著である。
【０００７】
本発明は、立体形状のねずみ取りにおいて、小なるねずみから大なるねずみまで容易にねずみ取り内へ進入させることができる粘着式ねずみ取りを提供できるようにした。
【課題を解決するための手段】
【０００８】
上述した課題を解決するために、本発明に係る粘着式ねずみ取りは、中央部台紙の左右両端辺に続き、折り目を介して側部台紙を連接し、かつ中央部台紙と左右の側部台紙の台紙上に粘着剤を塗布してなる粘着式ねずみ取りであって、前記中央部台紙、前記左右の側部台紙の左側部台紙における左端から右側部台紙における右端に渡り、所定の間隔をおいて第一の折り目と第二の折り目を形成して台紙を前後方向に前区画、中区画および後区画の３区画に分け、前区画と後区画の台紙を中区画の台紙上面に対して略垂直方向に折り曲げることにより、中央部台紙と左右の側部台紙を断面略Ｕ字状に形成できるように構成したものとしてある。
【０００９】
また前記粘着剤を、前記中央部台紙と前記左右の側部台紙の前区画、中区画、後区画に塗布し、断面形状において山と谷の連続する波型状に塗布したものとしてある。
【００１０】
さらに、前記中央部台紙、前記左右の側部台紙の少なくともいずれか一つの台紙の前後辺部に、この前後辺部と平行をなす折り目を介して台紙上面側に折り畳まれて形成された折重ね枠片を備え、前後の折重ね枠片のうちのいずれか一方の折重ね枠片の長手方向の一部を折り目を介して垂直に立ち上げ可能に形成して遊枠片を構成し、同遊枠片の遊端寄りに、前後の区画を中区画に対して立ち上げた際に他方の折重ね枠片に係着する係着手段を設けた構成のものとしてある。
【００１１】
また前記遊枠片の係着手段を切欠き部で構成し、同遊枠片を有する折重ね枠片が配設された区画の前後方向の幅に対し、中区画を挟んで反対側となる区画の前後方向の幅を小に構成したものとしてある。
【発明の効果】
【００１２】
本発明の粘着式ねずみ取りによれば、ねずみ取りの中央部台紙とこの中央部台紙の左右に連接された左右側部台紙を断面略Ｕ字状に形成でき、この断面略Ｕ字状に形成した状態のねずみ取りをねずみの出没口または通路に設置できる。
【００１３】
したがって、狭い所を好むねずみにおいて両側に壁がある断面略Ｕ字状に形成された本ねずみ取りは、それら壁によって守られた通路となり、ねずみは好んでこの通路すなわちねずみ取り内を通過しようとするので、ねずみの捕獲率を向上させることができる。
【００１４】
また、ねずみがねずみ取り内を通過しようとする場合も、ねずみ取りを断面略Ｕ字状に形成できることからねずみ取りの上方を開放できるので、ねずみがねずみ取り内へ進入しようとする際、従来の天井部を形成できる断面略三角形状や断面略四角形状に形成されるねずみ取りに比して、断面略Ｕ字状に形成できる本ねずみ取りは、ねずみ取りの上方を開放できることによって大なるねずみがねずみ取り内へ進入しようとする場合でも、ねずみが警戒する天井部分やねずみの背と接触する部分がなく、したがってねずみに警戒感を生じさせることがないので、小なるねずみから大なるねずみまでもが容易にねずみ取り内に進入することができ、さらにねずみの捕獲率を向上させることができる。
【００１５】
そして、断面略Ｕ字状に形成されたねずみ取りの両壁に塗布した粘着剤によってねずみの身体の側方部も粘着剤に接着されるので、ねずみ取り内に進入したねずみの身体は、断面略Ｕ字状のねずみ取の底部と両壁に塗布されている粘着剤によって三方から捕捉され、確実にねずみを捕獲できる大なるメリットがある。
【００１６】
また、ねずみ取りに天井部分がないので、使用者は従来のねずみ取りのようにねずみ取りを覗き込むようにしてねずみ捕獲の有無を確認することなく、一目瞭然にねずみ捕獲の有無を確認できる。
【００１７】
さらに、ねずみが捕獲されていた場合、ねずみ取りに形成された折り目を利用し、台紙を捕獲されたねずみに被せてねずみの体を見えなくして捨てることができる。
このように台紙を捕獲されたねずみに被せる際も、台紙に塗布された粘着剤によって被せた台紙がねずみの体に粘着して台紙が開くことがなく、したがってねずみ取りを手で持って捨てる際も、被せた台紙が開いて捕獲したねずみの体に手がふれるようなアクシデントが発生しにくいので、安心してまた衛生的にねずみ取りを手で持つことができる。
【発明を実施するための最良の形態】
【００１８】
以下、本発明の粘着式ねずみ取りを添付図面に基づいて説明する。
本発明の粘着式ねずみ取り１は、図１、図２に示すように、中央部台紙２とこの中央部台紙２の左右に連接した左側部台紙５と右側部台紙６とを備え、これら中央部台紙２と左側部台紙５、中央部台紙２と右側部台紙６との間には、互いに平行をなすように設けた２本の折り目３、３および４、４によってマチ部３ａ、４ａが設けられている。
なお、上記マチ部３ａ、４ａの幅は、少なくとも台紙の厚さの２倍以上の幅となっている。
【００１９】
そして、マチ部３ａ、４ａを含め中央部台紙２、左側部台紙５、右側部台紙６には、各台紙の左右方向に幅いっぱいに通過する第一の折り目７と第二の折り目８が形成され、この第一の折り目７および第二の折り目８によってそれぞれの台紙を台紙の前後方向に３区画に分けている。
【００２０】
すなわち中央部台紙２においては、中央部台紙２の第一の折り目７の前方側を前区画２ａ、第一の折り目７と第二の折り目８の間を中区画２ｂ、第二の折り目８の後側を後区画２ｃとしている。
【００２１】
また、左側部台紙５においては、左側部台紙５の第一の折り目７の前方側を前区画５ａ、第一の折り目７と第二の折り目８の間を中区画５ｂ、第二の折り目８の後側を後区画５ｃとしている。
【００２２】
さらに右側部台紙６においては、右側部台紙６の第一の折り目７の前方側を前区画６ａ、第一の折り目７と第二の折り目８の間を中区画６ｂ、第二の折り目８の後側を後区画６ｃとしている。
【００２３】
そして中央部台紙２、左側部台紙５、右側部台紙６の前後辺部には、折り目を介して折重ね枠片２ｄ、２ｅ、５ｄ、５ｅ、６ｄ、６ｅを形成してあり、これら折重ね枠片は、中央部台紙２、左側部台紙５、右側部台紙６それぞれの台紙上面側に折り重ねられている。
【００２４】
また中央部台紙２の折重ね枠片２ｅは、図４に示されるように、折り目を介して台紙上に折り重ねられる枠片２ｆと、溝２ｉを介して枠片２ｆ方向に引き起こせる遊枠片２ｇを備え、かつ遊枠片２ｇに、中央部台紙２の前区画２ａにおける辺部に嵌る切欠き２ｈを有している。
【００２５】
そして、粘着式ねずみ取り１の組み立てに際し、溝２ｉを介して枠片２ｆ方向に引き起こした遊枠片２ｇの切欠き２ｈを反対側の台紙辺部、図１で示すものは中央部台紙２の前区画２ａにおける辺部に嵌めることによって断面Ｕ字状に組み立てた粘着式ねずみ取り１の形状を保持させている。
【００２６】
切欠き２ｈの切り欠き幅は、中央部台紙２における前区画２ａと折重ね枠片２ｄのそれぞれの台紙の厚みを足した幅にしてもよいが、この中央部台紙２における前区画２ａと折重ね枠片２ｄのそれぞれの台紙の厚みを足した幅より小なる幅に形成して、切欠き２ｈが、少々きつめに中央部台紙２の前区画２ａにおける辺部に嵌るようにする場合もある。
【００２７】
そして、この図４に示す構造の折重ね枠片２ｅによって断面Ｕ字状に組み立てた粘着式ねずみ取り１の形状を保持させる場合は、図３に示すように、遊枠片２ｇの切欠き２ｈを、この遊枠片２ｇを有する折重ね枠片２ｅが配設された中央部台紙２の後区画２ｃ側と反対側の中央部台紙２の前区画２ａにおける辺部に嵌めた際、遊枠片２ｇの基部が後区画２ｃの台紙上面に接触するように、前区画２ａの台紙の前後方向の幅すなわち前区画を立てた状態における高さを、後区画２ｃの台紙の前後方向の幅すなわち後区画を立てた状態における高さより小に構成することによって断面Ｕ字状に組み立てられた粘着式ねずみ取り１の断面形状を、各コーナーが直角をなす歪のない安定した状態に確実に保持できる。
【００２８】
また、この遊枠片２ｇを有する折重ね枠片２ｅの他の形態としては、図５や図６に示すような形態にする場合もある。
【００２９】
図５に示すものは、図５（ａ）の後区画２ｃ上に折り重ねられている折重ね枠片２ｅを、矢印のように台紙の外方に広げて図５（ｂ）のような形態にしてから遊枠片２ｇを枠片２ｆ方向に引起し、折重ね枠片２ｅの外方への開き角度を適宜に調整しながら遊枠片２ｇの切欠き２ｈを反対側の台紙辺部に嵌める場合もある。
【００３０】
図６に示すものは、図６（ａ）の折重ね枠片２ｅにおける遊枠片２ｇの引起し方向を決める溝２ｉを、遊枠片２ｇの長手方向に対して直交させるのではなく所定の角度を与えて形成することにより、遊枠片２ｇを台紙の外方へ向かって引起すことができ、したがって断面Ｕ字状に組み立てた粘着式ねずみ取り１の形状を保持させる場合は、図６（ｂ）のように、前区画２ａの台紙の前後方向の幅と後区画２ｃの台紙の前後方向の幅を同じにした場合でも、遊枠片２ｇが台紙の外方へ向かって引起されることによって遊枠片２ｇの切欠き２ｈの位置が上方に移動し、中央部台紙２の前区画２ａにおける辺部に嵌合できる。
【００３１】
また、上述の遊枠片２ｇを有する折重ね枠片２ｅは、本実施例では中央部台紙２の後区画２ｃへ配設しているが、所望により中央部台紙２、台紙左右の側部台紙５、６の前後辺部に設けられる折重ね枠片のいずれのものを、遊枠片を有する折重ね枠片にしてもよく、また遊枠片を有する折重ね枠片を複数配設したり、台紙の前後辺部の両側に配設したりする場合もある。
【００３２】
そして、上述する２本の折り目３、３および４、４およびマチ部３ａ、４ａとともに、折重ね枠片２ｄ、２ｅ、５ｄ、５ｅ、６ｄ、６ｅを設けてあることにより、図８のような粘着式ねずみ取り１の未使用状態においては、図７のように、左右の側部台紙５、６を中央部台紙２の上側に折り畳んだ際、マチ部３ａ、４ａによって左右の側部台紙５、６の折重ね枠片５ｄ、５ｅ（図７中では図示なし）、６ｄ、６ｅ（図７中では図示なし）が中央部台紙２の折重ね枠片２ｄ、２ｅ（図７中では図示なし）の上側に折り畳めるようになり、したがってこれら折重ね枠片２ｄ、２ｅ、５ｄ、５ｅ、６ｄ、６ｅは左右の側部台紙５、６を中央部台紙２上に折り畳んだ際のスペーサとして機能するようになっている。
また、同図７および図２中の符号１０は中央部台紙２上に設けられたスペーサで、中央部台紙２上に折り畳まれた左右の側部台紙５、６の遊端部を支えるものである。
【００３３】
また、中央部台紙２、左側部台紙５、右側部台紙６の上面には、ねずみを接着捕獲するための粘着剤９が塗布されており、この粘着剤９はその成分を粘着剤の塗布形態によって調整すればよく、例えば粘着剤９層の塗布形態を、図１や図３に示されるような山９ａと谷９ｂが連続する波型状にすると、ねずみの足が山９ａに掛かりやすくなり、粘着剤が平坦に塗布されたものに比してねずみの捕獲効果を格段に向上させることができる。
【００３４】
そして、粘着式ねずみ取り１は断面略Ｕ字状に形成することができるので、図３のように、粘着式ねずみ取り内１の粘着剤９は三方に位置し、したがって粘着式ねずみ取り１内に進入したねずみ（図示は省略）の体は、断面略Ｕ字状の粘着式ねずみ取り１の底部と両壁に塗布されている粘着剤９によって三方から捕捉され、さらには、粘着剤９層の塗布形態を山９ａと谷９ｂが連続する波型状としたことにより、波の山９ａの部分がねずみの足およびその他の部分に確実に引っ掛かって身体により強力に粘着し、捕獲力の向上を期せる。
【００３５】
また、粘着剤９の塗布面積は、製品の梱包形態やねずみの誘導性によって任意に選定すればよく、図１および図２に示したものは、左右の側部台紙５、６の遊端部にその先端から内方に適当な幅で粘着剤９を塗布していない部分を有するように構成してあり、したがってねずみが側部台紙に乗った際、足裏に粘着剤９による違和感を与えないようにして内部に進入し易いようにしている。
【００３６】
なお、上述した各実施例のものでは、前後の区画どうしを遊枠片により接続して断面形状をＵ字状に構成しているが、粘着テープ等の接続部材を利用する場合もある。
【図面の簡単な説明】
【００３７】
【図１】本発明に係る粘着式ねずみ取りの組立てた後の状態を示す斜視図。
【図２】左右側部台紙を開いた状態の粘着式ねずみ取りを示す平面図。
【図３】組立てた後の粘着式ねずみ取りの中央部台紙部分の断面図。
【図４】遊枠片を有する折重ね枠片の一例を示す斜視図。
【図５】遊枠片を有する折重ね枠片の一例を示す斜視図。
【図６】遊枠片を有する折重ね枠片の一例を示す斜視図。
【図７】左右側部台紙が折り畳まれる状態を粘着式ねずみ取りの側方から示す側面図。
【図８】左右側部台紙が中央部台紙上に折り畳まれている状態の粘着式ねずみ取りを示す平面図。
【符号の説明】
【００３８】
１  粘着式ねずみ取り
２  中央部台紙
２ａ  前区画
２ｂ  中区画
２ｃ  後区画
２ｄ  折重ね枠片
２ｅ  折重ね枠片
２ｆ  枠片
２ｇ  遊枠片
２ｈ  切欠き
２ｉ  溝
３  折り目
３ａ  マチ部
４  折り目
４ａ  マチ部
５  左側部台紙
５ａ  前区画
５ｂ  中区画
５ｃ  後区画
５ｄ  折重ね枠片
５ｅ  折重ね枠片
６  右側部台紙
６ａ  前区画
６ｂ  中区画
６ｃ  後区画
６ｄ  折重ね枠片
６ｅ  折重ね枠片
７  第一の折り目
８  第二の折り目
９  粘着剤
９ａ  山
９ｂ  谷
１０  スペーサ
【図１】
2008022730.tif 000003
【図２】
2008022730.tif 000004
【図３】
2008022730.tif 000005
【図４】
2008022730.tif 000006
【図５】
2008022730.tif 000007
【図６】
2008022730.tif 000008
【図７】
2008022730.tif 000009
【図８】
2008022730.tif 000010